(57)【要約】【課題】着用時に着用者の肌を刺激し難く、肌の赤み、湿疹、汗疹、かぶれ等の皮膚トラブルを低減することが期待できる使い捨ておむつを提供すること。【解決手段】本発明の使い捨ておむつ１は、背側ウエストフラップＦＢに弾性体７１の伸縮領域ＳＴがある。背側ウエストフラップＦＢは、弾性体７１よりも着用者の肌に近い側に、疎水性の繊維からなる肌側不織布５を備える。肌側不織布５は、縦方向Ｘの背側領域Ｂ側の外端縁５Ｂ１の位置から股下領域Ｃ側に間隔を空けた位置に、親水性領域４Ｔを備える。弾性体７１は、糸状弾性部材７１１を有し、糸状弾性部材７１１が背側領域Ｂの縦方向Ｘの外端１Ｂと親水性領域４Ｔの外端縁４ＴＢ１との間に配される。背側ウエストフラップＦＢの伸縮領域ＳＴには、最も親水性領域４Ｔ側の糸状弾性部材７１１の内端縁と親水性領域４Ｔの外端縁４ＴＢ１との間に弾性体不在領域ＮＴがある。【選択図】図３
2018102428.tif 000002
【特許請求の範囲】
【請求項１】
着用者の腹側に配される腹側領域および着用者の背側に配される背側領域と、それらの間に位置する股下領域とを備えると共に、該腹側領域から該背側領域に延びる縦方向と該縦方向に直交する横方向とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、
前記背側ウエストフラップには、横方向に伸長状態で配された弾性体による伸縮領域が形成されており、
前記背側ウエストフラップは、前記伸縮領域において、該背側ウエストフラップを構成する不織布の内、前記弾性体よりも着用者の肌に近い側に、疎水性の繊維からなる肌側不織布を備え、
前記肌側不織布は、該肌側不織布における縦方向の前記背側領域側の外端縁の位置から前記股下領域側に間隔を空けた位置に、横方向に延びる親水性領域を備え、
前記伸縮領域を構成する前記弾性体は、少なくとも１本の糸状弾性部材を有し、該１本の糸状弾性部材が前記背側領域の縦方向の外端縁と前記親水性領域の縦方向の前記背側領域側の外端縁との間に配されており、
前記背側ウエストフラップの前記伸縮領域には、前記１本の糸状弾性部材の内、最も前記親水性領域側にある糸状弾性部材の前記親水性領域側の内端縁と、前記親水性領域における縦方向の前記背側領域側の外端縁との間に弾性体不在領域が形成されている、使い捨ておむつ。
【請求項２】
前記肌側不織布の前記親水性領域における縦方向の前記背側領域側の外端縁が、前記吸収体における縦方向の前記背側領域側の外端縁と該背側領域の縦方向の外端縁とで挟まれた領域内に対応する部分に配されている、請求項１に記載の使い捨ておむつ。
【請求項３】
前記伸縮領域を構成する前記弾性体は、複数本の糸状弾性部材で構成され、前記１本の糸状弾性部材以外に、該糸状弾性部材に隣り合う別の糸状弾性部材を有し、該１本の糸状弾性部材、及び該別の糸状弾性部材が、前記肌側不織布における縦方向の前記背側領域側の外端縁の位置と、前記親水性領域における縦方向の前記背側領域側の外端縁とで挟まれた領域内に対応する部分に配されている、請求項１又は２に記載の使い捨ておむつ。
【請求項４】
前記肌側不織布の前記親水性領域における縦方向の前記股下領域側の内端縁が、前記吸収体における縦方向の前記背側領域側の外端縁と該背側領域の縦方向の外端縁とで挟まれた領域内に対応する部分に配されている、請求項１〜３の何れか１項に記載の使い捨ておむつ。
【請求項５】
前記伸縮領域を構成する前記弾性体は、複数本の糸状弾性部材で構成され、
前記１本の糸状弾性部材以外の別の糸状弾性部材が、前記肌側不織布の前記親水性領域における縦方向の前記股下領域側の内端縁と、前記吸収体における縦方向の前記背側領域側の外端縁とで挟まれた領域内に対応する部分に配されている、請求項４に記載の使い捨ておむつ。
【請求項６】
前記背側ウエストフラップを構成する不織布は、前記使い捨ておむつの非肌対向面を形成する外層シートと、該外層シートの肌対向面に対向配置された内層シートとを有し、さらに、該外層シートにおける前記背側領域の縦方向の外端縁から肌対向面側に折り返された外層の折り返し部分、又は、該内層シートにおける前記背側領域の縦方向の外端縁から肌対向面側に折り返された内層の折り返し部分を有し、
前記親水性領域は、前記肌側不織布である前記外層の折り返し部分、又は、前記内層の折り返し部分に形成されており、
前記親水性領域における縦方向の前記股下領域側の内端縁が、前記外層の折り返し部分又は前記内層の折り返し部分における縦方向の前記股下領域側の内端縁よりも、前記背側領域の縦方向の外端縁側に配されている、請求項１〜５の何れか１項に記載の使い捨ておむつ。
【請求項７】
前記親水性領域を備える前記肌側不織布よりも肌対向面側に、疎水性の繊維からなる疎水性不織布が配されている、請求項１〜６の何れか１項に記載の使い捨ておむつ。
【請求項８】
前記肌側不織布と前記疎水性不織布とが、該肌側不織布の備える前記親水性領域に配された熱融着部で固定されている、請求項７に記載の使い捨ておむつ。
【発明の詳細な説明】
【技術分野】
【０００１】
本発明は、使い捨ておむつに関する。
【背景技術】
【０００２】
使い捨ておむつには、吸収体を備えた縦長の吸収性本体の外側に外装体が配されている所謂パンツ型の使い捨ておむつがある。本出願人は、先に、このようなパンツ型の使い捨ておむつの外装体における背側エンドフラップに、幅方向に高度に配向した長繊維を有する親水性ウエブを配置し、汗を吸収し、湿疹、あせも、かぶれ等の発生が効果的に防止できる技術を提案した（例えば、特許文献１）。
【０００３】
また、特許文献２には、汗を吸収する吸汗シートが、おむつの前後胴周り域の内面を覆う疎水性シートに接合されている使い捨ておむつが開示されている。
【先行技術文献】
【特許文献】
【０００４】
【特許文献１】特開２００６−１４１５４９号公報
【特許文献２】特開２００７−２５９８７４号公報
【発明の概要】
【発明が解決しようとする課題】
【０００５】
特許文献１及び２のように、汗を吸収する別体の吸汗シート等を使い捨ておむつの外装体における腰回りに取り付けると、吸汗シートを取り付けた部分の剛性が高くなり着用者の皮膚を刺激したり、該吸汗シートの端縁が着用者の皮膚を刺激したりして、肌の赤みを発症してしまうことが考えられる。
【０００６】
したがって本発明は、前述した従来技術が有する欠点を解消し得る使い捨ておむつを提供することにある。
【課題を解決するための手段】
【０００７】
本発明は、着用者の腹側に配される腹側領域および着用者の背側に配される背側領域と、それらの間に位置する股下領域とを備えると共に、該腹側領域から該背側領域に延びる縦方向と該縦方向に直交する横方向とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、前記背側ウエストフラップには、横方向に伸長状態で配された弾性体による伸縮領域が形成されており、前記背側ウエストフラップは、前記伸縮領域において、該背側ウエストフラップを構成する不織布の内、前記弾性体よりも着用者の肌に近い側に、疎水性の繊維からなる肌側不織布を備え、前記肌側不織布は、該肌側不織布における縦方向の前記背側領域側の外端縁の位置から前記股下領域側に間隔を空けた位置に、横方向に延びる親水性領域を備え、前記伸縮領域を構成する前記弾性体は、少なくとも１本の糸状弾性部材を有し、該１本の糸状弾性部材が前記背側領域の縦方向の外端縁と前記親水性領域の縦方向の前記背側領域側の外端縁との間に配されており、前記背側ウエストフラップの前記伸縮領域には、前記１本の糸状弾性部材の内、最も前記親水性領域側にある糸状弾性部材の前記親水性領域側の内端縁と、前記親水性領域における縦方向の前記背側領域側の外端縁との間に弾性体不在領域が形成されている、使い捨ておむつを提供するものである。
【発明の効果】
【０００８】
本発明によれば、着用時に着用者の肌を刺激し難く、肌の赤み、湿疹、汗疹、かぶれ等の皮膚トラブルを低減することが期待できる。
【図面の簡単な説明】
【０００９】
【図１】図１は、本発明の好ましい一実施形態であるパンツ型使い捨ておむつの斜視図である。
【図２】図２は、図１に示すおむつを展開して引き伸ばした状態を肌当接面側から視た一部破断展開平面図である。
【図３】図３は、図１に示すＩＩＩ―ＩＩＩ線断面図である。
【図４】図４は、本発明の好ましい別の実施形態のパンツ型使い捨ておむつの腹側領域Ａ及び背側領域Ｂの縦断面図である（図３相当図）。
【図５】図５は、本発明の好ましいまた別の実施形態のパンツ型使い捨ておむつの腹側領域Ａ及び背側領域Ｂの縦断面図である（図３相当図）。
【図６】図６は、本発明の好ましい更に別の実施形態のパンツ型使い捨ておむつの腹側領域Ａ及び背側領域Ｂの縦断面図である（図３相当図）。
【図７】図７は、本発明の好ましいまた別の実施形態のパンツ型使い捨ておむつの腹側領域Ａ及び背側領域Ｂの縦断面図である（図３相当図）。
【発明を実施するための形態】
【００１０】
以下、本発明をその好ましい実施形態に基づき図面を参照しながら説明する。
本発明の使い捨ておむつは、着用者の腹側に配される腹側領域Ａおよび着用者の背側に配される背側領域Ｂと、それらＡ，Ｂの間に位置する股下領域Ｃとを備えると共に、腹側領域Ａから背側領域Ｂに延びる縦方向Ｘと縦方向Ｘに直交する横方向Ｙとを備えている。また、本発明の使い捨ておむつは、腹側領域Ａと背側領域Ｂとに亘って吸収体２３を有し、吸収体２３の縦方向Ｘの前後端部２３Ａ，２３Ｂそれぞれから外方に位置して横方向Ｙに延びる腹側ウエストフラップＦＡ及び背側ウエストフラップＦＢを有している。ここで、腹側領域Ａとは使い捨ておむつの着用時に着用者の腹側に配される領域であり、背側領域Ｂとは使い捨ておむつの着用時に着用者の背側に配される領域である。そして、腹側ウエストフラップＦＡとは、吸収体２３の縦方向Ｘの腹側領域Ａ側の前端部２３Ａの端縁２３Ａ１から縦方向Ｘ外方に位置して横方向Ｙに延びる領域と、吸収体２３の縦方向Ｘの腹側領域Ａ側の前端部２３Ａから横方向Ｙに延びる領域とを合わせた領域を意味する。また、背側ウエストフラップＦＢとは、吸収体２３の縦方向Ｘの背側領域Ｂ側の後端部２３Ｂの端縁２３Ｂ１から縦方向Ｘ外方に位置して横方向Ｙに延びる領域と、吸収体２３の縦方向Ｘの背側領域Ｂ側の後端部２３Ｂから横方向Ｙに延びる領域とを合わせた領域を意味する。
【００１１】
図１及び図２には、本発明の使い捨ておむつの一実施形態であるパンツ型使い捨ておむつ１（以下、「おむつ１」ともいう。）が示されている。おむつ１は、図１及び図２に示すとおり、吸収性本体２と、吸収性本体２の非肌対向面側に配されて該吸収性本体２を固定する外装体３とを備え、外装体３は、吸収性本体２を構成する吸収体２３の縦方向Ｘの前後端部２３Ａ，２３Ｂから外方に位置して横方向Ｙに延びる腹側ウエストフラップＦＡ及び背側ウエストフラップＦＢを有している。おむつ１は、外装体３の腹側領域Ａの左右両側縁部３ａ１，３ａ１と外装体３の背側領域Ｂの左右両側縁部３ｂ１，３ｂ１とが接合されて一対のサイドシール部Ｓ，Ｓ、ウエスト開口部ＷＨ及び一対のレッグ開口部ＬＨ，ＬＨが形成されている使い捨ておむつである。好適に、おむつ１の外装体３は、図２に示すように、展開させかつ伸長させた状態を平面視して、着用時に着用者の腹側に配される腹側領域Ａ、着用時に着用者の背側に配される背側領域Ｂ、及び腹側領域Ａと背側領域Ｂとの間の股下領域Ｃに区分されている。
【００１２】
上述したおむつ１を展開させかつ伸長させた状態とは、図２に示すように、サイドシール部Ｓを引き剥がして、おむつ１を展開状態とし、その展開状態のおむつ１を、各部の弾性体を伸長させて、設計寸法（弾性体の影響を一切排除した状態で平面状に広げたときの寸法と同じ）となるまで広げた状態を意味する。
【００１３】
本明細書において、「肌対向面」とは、おむつ１又はその構成部材における、着用時に着用者の肌側に向けられる面であり、「非肌対向面」とは、おむつ１又はその構成部材における、着用時に着用者の肌側とは反対側（着衣側）に向けられる面である。おむつ１において、縦方向（Ｘ方向）とは、平面に展開させかつ伸長させた状態で、腹側領域Ａから背側領域Ｂにわたる方向のことである。また、横方向（Ｙ方向）とは、縦方向（Ｘ方向）と直交する方向であり、平面に展開させかつ伸長させた状態のおむつ１の幅方向のことである。
また、おむつ１は、図２に示す、縦方向（Ｘ方向）に延びる縦中心線ＣＬ１に対して左右対称形となっている。尚、図２中のＣＬ２は、おむつ１を縦方向（Ｘ方向）に二分する横方向（Ｙ方向）に延びる横中心線であり、縦中心線ＣＬ１に直交している。
【００１４】
おむつ１では、吸収性本体２は、図２に示すとおり、おむつ１を展開させかつ伸長させた状態において、縦方向（Ｘ方向）が相対的に長い縦長の形状を有している。吸収性本体２は、肌対向面を形成する液透過性の表面シート２１と、非肌対向面を形成する液難透過性（撥水性も含む）の裏面シート２２と、これら両シート２１，２２間に介在配置された液保持性の吸収体２３とを具備する。おむつ１では、吸収体２３は、吸収性能を有する吸収性コア２３１を液透過性の被覆シート２３２によって被覆されて形成されたものであり、吸収性本体２の縦方向（X方向）の全長は吸収体２３のそれと同じであり、吸収体２３の前後端部２３Ａ，２３Ｂの外端縁２３Ａ１，２３Ｂ１の位置は、図２に示すように、吸収性本体２の前後端部の外端縁の位置と同位置にある。また、吸収性本体２の縦方向（Ｘ方向）に沿う両側部には、図２に示すように、縦方向（Ｘ方向）に伸長状態で配された弾性体２５を有する防漏カフ２４，２４が設けられている。具体的には、防漏カフ２４は、液不透過性又は撥水性で且つ通気性の素材から構成されており、各防漏カフ２４の自由端部近傍には、防漏カフ形成用弾性体２５が縦方向（Ｘ方向）に伸長した状態で配されている。おむつの着用時には、防漏カフ形成用弾性体２５の収縮により防漏カフ２４の自由端部側が起立して、横方向（Ｙ方向）への体液の流出が阻止される。
【００１５】
以上のように構成された吸収性本体２は、図２に示すように、その縦方向（Ｘ方向）を、展開かつ伸長状態におけるおむつ１の縦方向（Ｘ方向）に一致させて、外装体３の中央部に、本体固定用接着剤によって接合されている。このように、外装体３は、使い捨ておむつ１の厚み方向における、吸収性本体２を構成する裏面シート２２の非肌対向面側に配されて接着固定されている。従って、おむつ１では、吸収性本体２を構成する吸収体２３が、腹側領域Ａと背側領域Ｂとに亘って配されている。
【００１６】
おむつ１では、図２及び図３に示すように、吸収体２３の縦方向Ｘの前後端部２３Ａ，２３Ｂから外方に位置して横方向Ｙに延びる腹側ウエストフラップＦＡ及び背側ウエストフラップＦＢには、それぞれ、横方向（Ｙ方向）に伸長状態で配された弾性体７１による伸縮領域ＳＴが形成されている。好適に、外装体３は、おむつ１では、着用時においておむつ１の外面即ち非肌対向面を形成する外層シート６と、外層シート６の肌対向面に対向配置された内層シート５との積層体を含んで構成されている。おむつ１の着用時において、外層シート６は着用者の肌から遠い側に位置して、おむつ１の非肌対向面（外面）を形成し、内層シート５は、外層シート６よりも着用者の肌に近い側に位置して、おむつ１の肌対向面（内面）を形成する。外層シート６と内層シート５とは、所定の部位において接着剤、ヒートシール、高周波シール、超音波シール等の接合手段を介して互いに接合されている。外層シート６は、図２に示すように、腹側領域Ａ及び背側領域Ｂに、内層シート５の縦方向Ｘの外端縁５Ｂ１から延出し、ウエスト開口部ＷＨの周縁部に沿って内層シート５の肌対向面側に折り返された外層の折り返し部分６Ｅを有し、該外層の折り返し部分６Ｅは、吸収体２３の縦方向Ｘの前後端部２３Ａ，２３Ｂ、即ち、吸収性本体２の縦方向Ｘの前後端部を被覆している。外層の折り返し部分６Ｅと内層シート５とは、所定の部位において接着剤、ヒートシール、高周波シール、超音波シール等の接合手段を介して互いに接合されている。
【００１７】
上述のように、おむつ１では、外装体３は、図２に示すように、おむつ１の外面を形成する非肌対向面側の外層シート６、最も肌対向面側の外層の折り返し部分６Ｅ、外層シート６と外層の折り返し部分６Ｅとの間に配された内層シート５を有している。おむつ１では、外層の折り返し部分６Ｅを除く外層シート６及び内層シート５は、縦方向（Ｘ方向）中央部において縦中心線ＣＬ１に向かって内方に括れており、互いに同形同大に形成されている。外層シート６の折り返し部分６Ｅで形成された外層の折り返し部分６Ｅは、横方向（Ｙ方向）に長い矩形状に形成されている。外層の折り返し部分６Ｅ、内層シート５及び外層シート６は、それぞれ、別体のシートであってもよいが、おむつ１では、外層の折り返し部分６Ｅが、外層シート６の折り返し部分によって形成されている。このように、おむつ１では、腹側ウエストフラップＦＡ及び背側ウエストフラップＦＢに、それぞれ、外層の折り返し部分６Ｅ及び内層シート５を有し、更に、内層シート５の非肌対向面側に外層シート６を有している。
【００１８】
また、おむつ１では、外装体３は、図２に示すように、内層シート５と外層シート６との間に、横方向（Ｙ方向）に伸長した状態で、縦方向（Ｘ方向）に間欠的に配された複数の糸状又は帯状の弾性体７１を有している。おむつ１では、複数の弾性体７１を備えることにより、ウエスト伸縮部Ｇ１及び胴回り下部伸縮部Ｇ２を有する伸縮領域ＳＴを形成している。また、おむつ１では、内層シート５と外層シート６との間に、図２に示すように、伸長した状態の複数の糸状又は帯状のレッグ弾性体７２を有している。おむつ１では、複数のレッグ弾性体７２を備えることにより、レッグ伸縮部Ｇ３を形成している。レッグ伸縮部Ｇ３は、図２に示すように、レッグ開口部ＬＨの周縁部に形成されている。
【００１９】
おむつ１では、ウエスト伸縮部Ｇ１は、図２に示すように、縦方向（Ｘ方向）において、吸収性本体２を構成する吸収体２３の縦方向（Ｘ方向）の前後端部２３Ａ，２３Ｂの外端縁２３Ａ１，２３Ｂ１よりも縦方向Ｘの外方（横中心線ＣＬ２側と反対側）に位置するエンドフラップに形成されている。また、おむつ１では、胴回り下部伸縮部Ｇ２は、縦方向（Ｘ方向）において、ウエスト伸縮部Ｇ１の横中心線ＣＬ２側の下端とサイドシール部Ｓの下端との間に位置するサイドフラップに形成されている。上述した背側ウエストフラップＦＢ及び腹側ウエストフラップＦＡは、前記エンドフラップ（ウエスト伸縮部Ｇ１）に、前記サイドフラップ（胴回り下部伸縮部Ｇ２）の一部を合わせた領域でもある。
【００２０】
おむつ１では、外装体３は、図２に示すように、内層シート５及び外層シート６を接合する複数の接合部８を有している。おむつ１では、背側ウエストフラップＦＢ及び腹側ウエストフラップＦＡは、内層シート５と外層シート６とが、散点状に配置された複数の熱融着による接合部８にて接合固定されて形成されている。おむつ１では、腹側領域Ａ及び背側領域Ｂそれぞれのウエスト伸縮部Ｇ１から胴回り下部伸縮部Ｇ２に亘る領域に、内層シート５と外層シート６との接合部８が、縦方向（Ｘ方向）に沿って一列をなすように間欠的に配されており、その複数の接合部８からなる接合部列８Ｌが、横方向（Ｙ方向）に間隔を開けて複数列配されている。
【００２１】
おむつ１は、図２に示すように、接合部８で固定された内層シート５と外層シート６との間に、横方向(Ｙ方向)に伸長した状態で配され且つ縦方向（Ｘ方向）に間欠的に配された複数の弾性体７１を有している。好適に、おむつ１では、腹側領域Ａ及び背側領域Ｂそれぞれのウエスト伸縮部Ｇ１から胴回り下部伸縮部Ｇ２に亘る領域に、複数本の弾性体７１が、それぞれ、複数の接合部列８Ｌそれぞれの接合部８どうし間の隙間を通って、横方向（Ｙ方向）に伸長状態で配されている。
【００２２】
また、おむつ１では、図２に示すように、外装体３の腹側領域Ａの両側縁部３ａ１，３ａ１及び外装体３の背側領域Ｂの両側縁部３ｂ１，３ｂ１に、内層シート５と外層シート６とが弾性体固定用接着剤を介して接合された一対の外側固定領域３Ｔ１，３Ｔ１を有しており、また、吸収性本体２の縦方向（Ｘ方向）に沿う両側部の近傍に、内層シート５と外層シート６とが弾性体固定用接着剤を介して接合された一対の本体側固定領域３Ｔ２，３Ｔ２を有している。
【００２３】
おむつ１のウエスト伸縮部Ｇ１では、図２に示すように、複数本の弾性体７１が、一対の外側固定領域３Ｔ１，３Ｔ１間に亘って配されており、それらの弾性体７１は、一対の外側固定領域３Ｔ１，３Ｔ１それぞれにおいて、内層シート５と外層シート６との間に固定されている一方、一対の外側固定領域３Ｔ１，３Ｔ１間においては、内層シート５及び外層シート６の何れにも固定されていない。
また、おむつ１の胴回り下部伸縮部Ｇ２では、図２に示すように、複数本の弾性体７１が、外側固定領域３Ｔ１と本体側固定領域３Ｔ２との間に亘って配されており、それらの弾性体７１は、外側固定領域３Ｔ１と本体側固定領域３Ｔ２とのそれぞれにおいて、内層シート５と外層シート６との間に固定されている一方、外側固定領域３Ｔ１と本体側固定領域３Ｔ２との間においては、内層シート５及び外層シート６の何れにも固定されていない。おむつ１の胴回り下部伸縮部Ｇ２では、一対の本体側固定領域３Ｔ２，３Ｔ２の間には、弾性体７１が配されていないか、或いは、弾性体７１が、弾性伸縮性を発現しないように細かく分断される等の処理を施された状態で配されている。
【００２４】
尚、おむつ１のレッグ伸縮部Ｇ３では、図２に示すように、レッグ開口部ＬＨの周縁部に伸長状態で配された複数のレッグ弾性体７２が、レッグ開口部ＬＨの周縁部に面状に配された弾性体固定用接着剤を介して内層シート５と外層シート６との間に固定されている。
【００２５】
おむつ１の外装体３では、図１及び図２に示すように、ウエスト伸縮部Ｇ１及び胴回り下部伸縮部Ｇ２において、内層シート５と外層シート６との間に横方向(Ｙ方向)に伸長状態で配され且つ縦方向（Ｘ方向）に間欠的に配された複数の弾性体７１の収縮により、横方向(Ｙ方向)に隣接する接合部列８Ｌ，８Ｌどうしの間の外層シート６が外方に膨らむように変形し、外層の折り返し部分６Ｅ及び内層シート５が内方に膨らむように変形してギャザー部が形成されている。
【００２６】
おむつ１では、背側ウエストフラップＦＢは、伸縮領域ＳＴにおいて、背側ウエストフラップＦＢを構成する不織布の内、弾性体７１よりも着用者の肌に近い側に、疎水性の繊維から構成される肌側不織布を備えている。おむつ１では、図３に示すように、背側ウエストフラップＦＢを構成する不織布とは、内層シート５、外層シート６及び外層の折り返し部分６Ｅが該当し、弾性体７１よりも着用者の肌に近い側の不織布としては、内層シート５及び外層シート６の折り返し部分６Ｅが該当する。そして、おむつ１では、疎水性の繊維からなる肌側不織布とは内層シート５が該当する。
【００２７】
おむつ１では、図３に示すように、疎水性の繊維からなる肌側不織布（内層シート５）は、該肌側不織布（内層シート５）における縦方向Ｘの背側領域Ｂ側の外端縁５Ｂ１の位置から股下領域Ｃ側に間隔を空けた位置に、横方向Ｙに延びる親水性領域４Ｔを備えている。おむつ１では、親水性領域４Ｔは、例えば、内層シート５における縦方向Ｘの外端縁５Ｂ１の位置から股下領域Ｃ側に間隔を空けた位置に、親水化剤を横方向Ｙの全長に亘って塗布して形成されている。このように、親水性領域４Ｔは、前記肌側不織布と別個独立した不織布から形成されておらず、疎水性の繊維からなる肌側不織布の一部に、親水化剤を塗布して形成された領域である。おむつ１では、親水性領域４Ｔは、おむつ１の背側領域Ｂにおける縦方向Ｘの外端縁１Ｂ、言い換えれば、ウエスト開口部ＷＨの周縁部の外周縁から股下領域Ｃ側に間隔を空けた位置に形成されている。
【００２８】
おむつ１では、図２に示すように、背側ウエストフラップＦＢの伸縮領域ＳＴに、汗を吸収可能な親水性領域４Ｔが配されている。親水性の親水性領域４Ｔは、おむつ１では、背側ウエストフラップＦＢの伸縮領域ＳＴ、即ち、ウエスト伸縮部Ｇ１に胴回り下部伸縮部Ｇ２の一部を合わせた領域に配されている。
【００２９】
親水性領域４Ｔを形成する親水化剤としては、使い捨ておむつ等の吸収性物品に用いられる公知の親水化剤を用いることができる。尚、おむつ１では、背側ウエストフラップＦＢにのみ親水性領域４Ｔが形成されているが、背側ウエストフラップＦＢ及び腹側ウエストフラップＦＡに形成されていてもよい。このように、親水性領域４Ｔが背側ウエストフラップＦＢ及び腹側ウエストフラップＦＡに形成されている場合には、肌側不織布（例えば内層シート５）に塗布する親水化剤の量は、腹側ウエストフラップＦＡ側と背側ウエストフラップＦＢ側とで同じ量であることが好ましく、腹側ウエストフラップＦＡ側の親水性領域４Ｔの親水性の程度と背側ウエストフラップＦＢ側の親水性領域４Ｔの親水性の程度は同じであることが好ましい。
【００３０】
おむつ１では、親水性領域４Ｔは、図２に示すように、背側ウエストフラップＦＢの横方向（Ｙ方向）の全長に亘って配され、且つ、図３に示すように、弾性体７１よりも着用者の肌に近い側に配されている。言い換えれば、親水性領域４Ｔは、背側ウエストフラップＦＢにおいて、背側ウエストフラップＦＢを構成する、弾性体７１よりも着用者の肌に近い内層シート５の横方向（Ｙ方向）の全長に亘って、親水化剤を塗布して形成されている。
【００３１】
おむつ１では、親水性領域４Ｔは、着用時に着用者の背側で多量の汗を吸汗する観点から、図２に示すように、その縦方向（Ｘ方向）の長さ（Ｌ１）が、１０ｍｍ以上であることが好ましく、２０ｍｍ以上であることが更に好ましく、そして、１００ｍｍ以下であることが好ましく、９０ｍｍ以下であることが更に好ましく、具体的には、１０ｍｍ以上１００ｍｍ以下であることが好ましく、２０ｍｍ以上９０ｍｍ以下であることが更に好ましい。前記長さ（Ｌ１）は、おむつ１を展開させかつ伸長させた状態における長さである。
【００３２】
おむつ１では、背側ウエストフラップＦＢの伸縮領域ＳＴを構成する弾性体７１は、図３に示すように、少なくとも１本の糸状弾性部材７１１を有し、１本の糸状弾性部材７１１が背側領域Ｂの縦方向Ｘの外端縁１Ｂと親水性領域４Ｔの縦方向（Ｘ方向）の背側領域Ｂ側の外端縁４ＴＢ１との間に配されている。背側領域Ｂの縦方向（Ｘ方向）の外端縁Ｂ１とは、おむつ１では、ウエスト開口部ＷＨの周縁部の周縁の位置を意味する。好適に、おむつ１では、１本の糸状弾性部材７１１のみが、親水性領域４Ｔの形成された肌側不織布（内層シート５）における縦方向Ｘの背側領域Ｂ側の外端部５Ｂに配されており、具体的には、内層シート５の縦方向（Ｘ方向）の外端縁５Ｂ１と親水性領域４Ｔの縦方向（Ｘ方向）の外端縁４ＴＢ１との間に配されている。
【００３３】
おむつ１では、背側ウエストフラップＦＢの伸縮領域ＳＴには、図３に示すように、少なくとも１本の糸状弾性部材７１１の内、最も親水性領域４Ｔ側にある糸状弾性部材７１１の親水性領域４Ｔ側の内端縁と、肌側不織布（内層シート５）に形成された親水性領域４Ｔにおける縦方向Ｘの背側領域Ｂ側の外端縁４ＴＢ１との間に弾性体不在領域ＮＴが形成されている。ここで、糸状弾性部材７１１の親水性領域４Ｔ側の内端縁とは、該糸状弾性部材７１１を図３に示すように断面視して、最も股下領域Ｃ側の下端の位置を意味する。内層シート５における縦方向Ｘの外端部５Ｂには糸状弾性部材７１１が複数本配されていてもよいが、上述の通り、おむつ１では、内層シート５の外端部５Ｂに配されているのは糸状弾性部材７１１が１本のみである。その為、おむつ１では、該１本の糸状弾性部材７１１の内端縁と、親水性領域４Ｔの縦方向Ｘの外端縁４ＴＢ１との間に弾性体不在領域ＮＴが形成されている。弾性体不在領域ＮＴは、背側ウエストフラップＦＢの横方向（Ｙ方向）の全長に亘って形成されている。
【００３４】
おむつ１では、弾性体不在領域ＮＴは、着用時に着用者の汗を吸汗した親水性領域４Ｔからの水分の移行を防止する観点から、図３に示すように、その縦方向（Ｘ方向）の長さ（Ｌ２）が、３ｍｍ以上であることが好ましく、４ｍｍ以上であることが更に好ましく、そして、１５ｍｍ以下であることが好ましく、１３ｍｍ以下であることが更に好ましく、具体的には、３ｍｍ以上１５ｍｍ以下であることが好ましく、４ｍｍ以上１３ｍｍ以下であることが更に好ましい。前記長さ（Ｌ２）は、おむつ１を展開させかつ伸長させた状態における長さである。
【００３５】
上述したおむつ１の各部の形成材料について説明する。
おむつ１では、外装体３を構成する外層の折り返し部分６Ｅが外層シート６の折り返し部分６Ｅで形成されているので、外層の折り返し部分６Ｅを含む外層シート６の全体が疎水性の繊維で構成された疎水性のシートで形成されている。おむつ１では、外層シート６とは別体の内層シート５も、疎水性のシートで構成されている。
【００３６】
外層シート６（外層の折り返し部分６Ｅを含む）及び内層シート５に用いる疎水性のシートを構成する疎水性繊維としては、熱可塑性の合成繊維が挙げられ、具体的には、各種不織布の構成繊維として通常用いられているものを用いることができ、例えば、ポリエチレン（ＰＥ）繊維、ポリプロピレン（ＰＰ）繊維等のポリオレフィン繊維；ポリエチレンテレフタレート（ＰＥＴ）、ポリアミド等の熱可塑性樹脂を単独で用いてなる繊維；芯鞘型、サイドバイサイド型等の構造の複合繊維が挙げられる。
【００３７】
親水性領域４Ｔを形成する親水化剤は、衛生品用途に使用される一般的な親水化剤であれば特に限定されない。親水性領域４Ｔを構成する繊維が親水性であるか疎水性であるかの判断は、以下に述べる〔繊維の接触角の測定方法〕で測定される構成繊維の接触角に基づき判断される。具体的には、接触角が９０°以上であれば、親水度の低い疎水性と判断し、接触角が９０°より小さければ、親水度の高い親水性と判断する。
【００３８】
〔繊維の接触角の測定方法〕
接触角の測定には、例えば協和界面科学株式会社製の接触角計ＭＣＡ−Ｊを用いる。具体的には、親水性領域４Ｔを構成する繊維の表面に、イオン交換水を滴下（約２０ピコリットル）した後、直ちに前記接触角計を用いて接触角度の測定を行う。測定は、親水性領域４Ｔを構成する繊維の５箇所以上の箇所で行い、それらの平均値を接触角とする。尚、測定環境温度は２０℃とする。
尚、吸収性物品の一例であるおむつ１からその領域（例えば親水性領域）を取り出して評価測定する場合において、その領域が、接着剤、融着などによって他の構成部材に固定されている場合には、固定されていない部分において測定するか、その固定部分を除去してから取り出す。その際、領域に付与された親水化剤への影響を最小限に抑える観点から、固定部分の除去方法として、溶剤の塗布やドライヤーによる熱風吹き付けのような、油剤の変質、喪失を招く恐れのある方法は採用しないことが好ましい。
【００３９】
吸収性本体２を構成する表面シート２１、裏面シート２２、吸収体２３及び防漏カフ２４等としては、使い捨ておむつ等の吸収性物品に従来用いられている各種のもの等を特に制限なく用いることができる。例えば、表面シート２１としては、単層又は多層構造の不織布や、開孔フィルム等を用いることができる。裏面シート２２としては、透湿性の樹脂フィルム等を用いることができる。吸収体２３の吸収性コア２３１としては、吸収性ポリマーの粒子及び繊維材料から構成されたものを用いることができ、吸収体２３の被覆シート２３２としては、ティッシュペーパーや不織布等を用いることができる。また、防漏カフ２４としては、撥水性の単層又は多層構造の不織布等を用いることができる。
【００４０】
弾性体（防漏カフ形成用弾性体２５、弾性体７１、レッグ弾性体７２等）としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性体の形態としては、断面が矩形、正方形、円形、楕円形、若しくは多角形状等の糸状（糸ゴム等）、又は紐状（平ゴム等）のもの、弾性繊維層状のもの等を好ましく用いることができる。
【００４１】
弾性体（防漏カフ形成用弾性体２５、弾性体７１、レッグ弾性体７２等）を固定する弾性体固定用接着剤、及び外装体３及び吸収性本体２等を固定する本体固定用接着剤としては、使い捨ておむつ等の吸収性物品に従来用いられている各種のホットメルト接着剤等を特に制限なく用いることができる。
【００４２】
上述した本発明の一実施形態のおむつ１を使用した際の作用効果について説明する。
おむつ１では、図２及び図３に示すように、背側ウエストフラップＦＢの伸縮領域ＳＴにおいて、肌側不織布（内層シート５）における縦方向Ｘの外端縁５Ｂ１の位置から間隔を空けた位置に、汗を吸収可能な親水性領域４Ｔが配されている。そして、親水性領域４Ｔが、肌側不織布と別個独立した不織布から形成されておらず、疎水性の繊維からなる肌側不織布（内層シート５）の一部に、親水化剤を塗布して形成された領域である。その為、親水性領域４Ｔが配されていても、おむつ１の着用中に、背側ウエストフラップＦＢの伸縮領域ＳＴの剛性が高くなり難く、親水性領域４Ｔの端縁が着用者の皮膚を刺激することも無いので、肌の赤みを発症し難く、湿疹、汗疹、かぶれ等の皮膚トラブルを低減することが期待できる。また、おむつ１では、図３に示すように、背側ウエストフラップＦＢの伸縮領域ＳＴには、最も親水性領域４Ｔ側にある糸状弾性部材７１１の親水性領域４Ｔ側の内端縁と、内層シート５に形成された親水性領域４Ｔにおける縦方向Ｘの外端縁４ＴＢ１との間に弾性体不在領域ＮＴが形成されている。弾性体不在領域ＮＴは疎水領域であり、しかも、弾性体７１の収縮による繊維の高密度化が起こり難いので、おむつ１の着用中に親水性領域４Ｔが多量の汗を吸収したとしても、体液が縦方向Ｘ外方に移行し難く、親水性領域４Ｔ内で汗を吸収でき、湿疹、汗疹、かぶれ等の皮膚トラブルを低減することが期待できる。このように親水性領域４Ｔ内で汗を吸収する観点から、親水性領域４Ｔと、親水性領域４Ｔに対応する位置に配される弾性体７１との配置関係は、図３に示すように、１本の糸状弾性部材７１１に縦方向Ｘに隣り合う別の糸状弾性部材７１２が、親水性領域４Ｔにおける縦方向Ｘの背側領域Ｂ側の外端縁４ＴＢ１から股下領域Ｃ側に間隔を空けた位置に配されていることが好ましい。
【００４３】
上記効果を一層確実に奏されるようにする観点から、おむつ１は、以下の一又は二以上の構成を有することが好ましい。
【００４４】
おむつ１では、肌側不織布（内層シート５）の親水性領域４Ｔにおける縦方向Ｘの背側領域Ｂ側の外端縁４ＴＢ１が、図３に示すように、吸収体２３の縦方向（Ｘ方向）の背側領域Ｂ側の後端部２３Ｂの外端縁２３Ｂ１とおむつ１の背側領域Ｂの縦方向Ｘの外端縁１Ｂとで挟まれた領域内に対応する部分に配されていることが好ましい。このように、吸収体２３の外端縁２３Ｂ１よりも縦方向Ｘ外方で且つおむつ１の背側領域Ｂ側の外端縁よりも縦方向Ｘ内方に、親水性領域４Ｔが配されていれば、汗を特にかきやすいウエスト伸縮部Ｇ１において、効率的に親水性領域４Ｔで汗を吸汗することができる。
【００４５】
おむつ１では、弾性体７１は、１本の糸状弾性部材７１１以外に、糸状弾性部材７１１に隣り合う別の糸状弾性部材７１２を有し、糸状弾性部材７１１及び別の糸状弾性部材７１２が、肌側不織布（内層シート５）における縦方向Ｘの背側領域Ｂ側の外端部５Ｂの外端縁５Ｂ１の位置と、親水性領域４Ｔにおける縦方向Ｘの背側領域Ｂ側の外端縁４ＴＢ１とで挟まれた領域内に対応する部分に配されていることが好ましい。このように、複数の弾性体７１（糸状弾性部材７１１及び別の糸状弾性部材７１２）が、肌側不織布（内層シート５）における親水性領域４Ｔの縦方向Ｘの外端縁４ＴＢ１よりも外方の疎水性領域に配されていると、該疎水性領域における複数の弾性体７１の収縮により、縦方向Ｘに粗密構造が形成され易く、弾性体７１の収縮によって形成された繊維の高密度化部分が、着用者の肌側に寄り易く、肌側不織布（内層シート５）の外端部５Ｂの外端縁５Ｂ１からの体液の漏れを防止することができる。
【００４６】
おむつ１では、肌側不織布（内層シート５）の親水性領域４Ｔにおける縦方向Ｘの股下領域Ｃ側の内端部の内端縁４ＴＣ１が、図３に示すように、吸収体２３における縦方向Ｘの背側領域Ｂ側の外端縁２３Ｂ１とおむつ１の背側領域Ｂの縦方向Ｘの外端縁１Ｂとで挟まれた領域内に対応する部分に配されていることが好ましい。尚、親水性領域４Ｔの縦方向Ｘの股下領域Ｃ側の内端縁４ＴＣ１が、吸収体２３を有する吸収性本体２における縦方向Ｘの背側領域Ｂ側の外端縁とおむつ１の背側領域Ｂの縦方向Ｘの外端縁とで挟まれた領域内に対応する部分に配されていることが更に好ましい。このように、親水性領域４Ｔの内端縁４ＴＣ１が、吸収体２３の外端縁２３Ｂ１よりも縦方向Ｘ外方の離れた位置に配されていると、おむつ１の使用中に吸収体２３に吸収された体液が、親水性領域４Ｔと吸収体２３との間の領域を構成する疎水性の繊維（肌側不織布を構成する疎水性の繊維）によって親水性領域４Ｔに拡散することを防止できる。
【００４７】
おむつ１では、弾性体７１が複数本の糸状（帯状を含む）弾性体７１であるところ、図３に示すように、１本の糸状弾性部材７１１以外の別の１本の糸状弾性部材７１３が、肌側不織布（内層シート５）の親水性領域４Ｔにおける縦方向Ｘの股下領域Ｃ側の内端部の内端縁４ＴＣ１と、吸収体２３における縦方向Ｘの背側領域Ｂ側の外端縁２３Ｂ１とで挟まれた領域内に対応する部分に配されていることが好ましい。このように糸状弾性部材７１３が親水性領域４Ｔと吸収体２３との間に配置されていると、親水性領域４Ｔと吸収体２３とを一層隔てることができ、おむつ１の使用中に吸収体２３に吸収された体液の漏れを誘発し難い。
【００４８】
おむつ１では、図３に示すように、背側ウエストフラップＦＢを構成する不織布は、内層シート５、外層シート６及び外層の折り返し部分６Ｅであり、疎水性の繊維からなる肌側不織布が内層シート５である。また、おむつ１では、親水性領域４Ｔを備える肌側不織布（内層シート５）よりも肌対向面側に、外層シート６の折り返し部分６Ｅが配されている。このような構成のおむつ１では、親水性領域４Ｔを備える肌側不織布（内層シート５）よりも肌対向面側に配される外層シート６の折り返し部分６Ｅが、疎水性の繊維からなる疎水性不織布であることが好ましい。尚、外層の折り返し部分６Ｅが疎水性不織布であれば、外層シート６も疎水性不織布となっている。このように、親水性領域４Ｔよりも肌対向面側に疎水性不織布が配されていれば、外層の折り返し部分６Ｅを介して汗を吸汗した親水性領域４Ｔが着用者の肌に直接触れることがなく、親水性領域４Ｔから肌へ体液が戻り難いので、肌を膨潤させ難く、かぶれ等の皮膚トラブルを低減することが期待できる。尚、親水性領域４Ｔが外層の折り返し部分６Ｅを介して汗を吸汗し易い観点から、肌側不織布（内層シート５）と疎水性不織布からなる外層の折り返し部分６Ｅとは、肌側不織布の備える親水性領域４Ｔに配された熱融着部で固定されていることが好ましい。即ち、不織布（内層シート５）と疎水性の外層の折り返し部分６Ｅとは、親水性領域４Ｔにて、散点状に配置された複数の熱融着による接合部（熱融着部）で固定されていることが好ましい。このような熱融着部は、ヒートシール、超音波シール、高周波シール等の各種公知の方法を用いて形成することができる。
【００４９】
以上、本発明をその好ましい実施形態に基づき説明したが、本発明は上述した実施形態に制限されず適宜変更可能である。以下に示す他の実施形態の使い捨ておむつにおいては、図３に示すおむつ１と同じ部位には同じ番号を付して説明する。
【００５０】
例えば、上述したおむつ１は、図３に示すように、背側ウエストフラップＦＢを構成する不織布として、内層シート５、外層シート６及び外層の折り返し部分６Ｅが該当し、弾性体７１よりも着用者の肌に近い側の不織布として、内層シート５及び外層シート６の折り返し部分６Ｅが該当し、そして、疎水性の繊維からなる肌側不織布として、内層シート５が該当しているが、図４に示すおむつ１のように、疎水性の繊維からなる肌側不織布が外層シート６の折り返し部分６Ｅであってもよい。具体的に、図４に示すおむつ１では、親水性領域４Ｔは、肌側不織布である外層の折り返し部分６Ｅに形成されており、親水性領域４Ｔにおける縦方向Ｘの股下領域Ｃ側の内端部の内端縁４ＴＣ１が、外層の折り返し部分６Ｅにおける縦方向Ｘの股下領域Ｃ側の内端部の内端縁６ＥＣ１よりも、背側領域Ｂの縦方向Ｘの外端縁１Ｂ側に配されている。更に、図４に示すおむつ１では、外層の折り返し部分６Ｅに形成された親水性領域４Ｔの股下領域Ｃ側の内端縁４ＴＣ１が、吸収体２３における縦方向Ｘの背側領域Ｂ側の外端縁２３Ｂ１よりも、背側領域Ｂの縦方向Ｘの外端縁１Ｂ側に配されている。図４に示すおむつ１によれば、図３に示すおむつ１と同様の効果を奏すると共に、特に親水性領域４Ｔが外層の折り返し部分６Ｅに形成されているので、表面シート２１や裏面シート２２が背側領域Ｂの縦方向Ｘの外端縁１Ｂ側に延長している場合であっても汗を吸汗しやすく、吸汗領域が広くなるとの効果を奏する。
【００５１】
また、上述したおむつ１は、図３に示すように、背側ウエストフラップＦＢを構成する不織布として、内層シート５、外層シート６及び外層の折り返し部分６Ｅが該当しているが、図５に示すおむつ１では、内層シート５、外層シート６及び外層の折り返し部分６Ｅ以外に、内層シート５における背側領域Ｂの縦方向Ｘの外端縁１Ｂから肌対向面側に折り返された内層の折り返し部分５Ｅが該当している。図５に示すおむつ１では、弾性体７１よりも着用者の肌に近い側の不織布として、内層シート５、内層の折り返し部分５Ｅ及び外層の折り返し部分６Ｅが該当し、そして、疎水性の繊維からなる肌側不織布として、内層の折り返し部分５Ｅが該当している。具体的に、図５に示すおむつ１では、親水性領域４Ｔは、肌側不織布である内層の折り返し部分５Ｅに形成されており、親水性領域４Ｔにおける縦方向Ｘの股下領域Ｃ側の内端部の内端縁４ＴＣ１が、内層の折り返し部分５Ｅにおける縦方向Ｘの股下領域Ｃ側の内端部の内端縁５ＥＣ１よりも、背側領域Ｂの縦方向Ｘの外端縁１Ｂ側に配されている。更に、図５に示すおむつ１では、内層の折り返し部分５Ｅに形成された親水性領域４Ｔの股下領域Ｃ側の内端縁４ＴＣ１が、吸収体２３における縦方向Ｘの背側領域Ｂ側の外端縁２３Ｂ１よりも、背側領域Ｂの縦方向Ｘの外端縁１Ｂ側に配されている。図５に示すおむつ１によれば、図３に示すおむつ１と同様の効果を奏すると共に、特に親水性領域４Ｔが内層の折り返し部分５Ｅに形成されている。その為、内層の折り返し部分５Ｅに形成されている親水性領域４Ｔと疎水性の外層の折り返し部分６Ｅとを、散点状に配置された複数の熱融着による接合部（熱融着部）で固定しやすく、その上で疎水性不織布である外層の折り返し部分６Ｅが親水性領域４Ｔよりも肌対向面側に配されることとなり、外層の折り返し部分６Ｅを介して汗を吸汗しやすく、また汗を吸汗した親水性領域４Ｔが着用者の肌に直接触れることがなく、親水性領域４Ｔから肌へ体液が戻り難いので、より肌を膨潤させ難く、かぶれ等の皮膚トラブルを低減することが期待できる。尚、図５に示すおむつ１では、背側ウエストフラップＦＢを構成する不織布として、内層シート５、内層の折り返し部分５Ｅ、外層シート６及び外層の折り返し部分６Ｅを有しているが、外層の折り返し部分６Ｅを有さない形態であってもよい。即ち、背側ウエストフラップＦＢを構成する不織布が、内層シート５、内層の折り返し部分５Ｅ、及び外層シート６のみを有する形態であってもよい
【００５２】
また、上述したおむつ１は、図３に示すように、背側ウエストフラップＦＢを構成する不織布が、内層シート５、外層シート６及び外層の折り返し部分６Ｅを有しているが、図６に示すおむつ１では、外層の折り返し部分６Ｅを有さず、内層シート５及び外層シート６のみを有する形態となっている。図６に示すおむつ１では、弾性体７１よりも着用者の肌に近い側の不織布として、内層シート５が該当し、そして、疎水性の繊維からなる肌側不織布として、内層シート５が該当している。具体的に、図６に示すおむつ１では、親水性領域４Ｔは、肌側不織布である内層シート５に形成されており、親水性領域４Ｔにおける縦方向Ｘの背側領域Ｂ側の外端部の外端縁４ＴＢ１が、内層シート５の背側領域Ｂ側の外端部５Ｂの外端縁５Ｂ１よりも股下領域Ｃ側に配されている。また、親水性領域４Ｔにおける縦方向Ｘの股下領域Ｃ側の内端部の内端縁４ＴＣ１が、吸収体２３における縦方向Ｘの背側領域Ｂ側の外端縁２３Ｂ１よりも、背側領域Ｂの縦方向Ｘの外端縁１Ｂ側に配されている。図６に示すおむつ１によれば、図３に示すおむつ１と同様の効果を奏すると共に、特に親水性領域４Ｔが内層シート５に形成されているので、背側ウエストフラップＦＢの伸縮領域ＳＴの部材が少なく厚みが小さいために、よりやわらかく、また通気性が高く吸汗した汗をすばやく蒸発できる。
【００５３】
また、上述したおむつ１は、図３に示すように、弾性体７１が１本の糸状弾性部材７１１を含んで全て糸状（帯状を含む）の弾性体であるが、図７に示すおむつ１では、弾性体７１が、１本の糸状弾性部材７１１と、それ以外が、フィルム状、或いは、弾性繊維からなる弾性繊維層状の弾性部材７１４とから構成されている。また、上述したおむつ１は、図３に示すように、背側ウエストフラップＦＢを構成する不織布が、内層シート５、外層シート６及び外層の折り返し部分６Ｅを有しているが、図７に示すおむつ１では、内層シート５を有さず、外層シート６及び外層の折り返し部分６Ｅのみを有する形態となっている。図７に示すおむつ１では、弾性体７１よりも着用者の肌に近い側の不織布として、外層の折り返し部分６Ｅが該当し、そして、疎水性の繊維からなる肌側不織布として、外層の折り返し部分６Ｅが該当している。具体的に、図７に示すおむつ１では、親水性領域４Ｔは、肌側不織布である外層の折り返し部分６Ｅに形成されており、親水性領域４Ｔにおける縦方向Ｘの背側領域Ｂ側の外端部の外端縁４ＴＢ１が、背側領域Ｂの縦方向Ｘの外端縁１Ｂよりも股下領域Ｃ側に配されている。また、親水性領域４Ｔにおける縦方向Ｘの股下領域Ｃ側の内端部の内端縁４ＴＣ１が、外層の折り返し部分６Ｅにおける縦方向Ｘの股下領域Ｃ側の内端部の内端縁６ＥＣ１よりも、背側領域Ｂの縦方向Ｘの外端縁１Ｂ側に配されており、更に、吸収体２３における縦方向Ｘの背側領域Ｂ側の外端縁２３Ｂ１よりも、背側領域Ｂの縦方向Ｘの外端縁１Ｂ側に配されている。
【００５４】
また、図７に示すおむつ１では、１本の糸状弾性部材７１１が親水性領域４Ｔの形成された肌側不織布（外層の折り返し部分６Ｅ）における縦方向Ｘの背側領域Ｂ側の外端部、言い換えれば、おむつ１の背側領域Ｂの縦方向Ｘの外端縁１Ｂと、親水性領域４Ｔの縦方向（Ｘ方向）の背側領域Ｂ側の外端縁４ＴＢ１との間の位置に配されている。図７に示すおむつ１によれば、図３に示すおむつ１と同様の効果を奏すると共に、背側ウエストフラップＦＢの伸縮領域ＳＴの襞が少なく厚みが小さいために、より保温性が低く涼しい、またより体にフィットし易い。
【００５５】
本発明の吸収性物品は、上述の図３〜図７のおむつ１に何ら制限されるものではなく、適宜変更可能である。また、上述の図３〜図７のおむつ１における各構成要件は、本発明の趣旨を損なわない範囲で、適宜組み合わせて実施できる。
【００５６】
また、上述した使い捨ておむつ１においては、図２に示すように、背側ウエストフラップＦＢにのみ、伸縮領域ＳＴを構成する肌側不織布（内層シート５）に親水化剤を塗布した親水性領域４Ｔを配しているが、腹側ウエストフラップＦＡにも親水性領域４Ｔを配していてもよい。
【００５７】
また、上述した使い捨ておむつ１においては、図２に示すように、外装体３が腹側領域Ａ、股下領域Ｃ及び背側領域Ｂにわたる砂時計状等の連続した形状のパンツ型使い捨ておむつであるが、外装体３が、腹側外装体、背側外装体及び股下外装体に別部材として区分された分割型のパンツ型使い捨ておむつであってもよい。
【００５８】
また、上述した使い捨ておむつ１においては、図１に示すように、外装体３を有するパンツ型使い捨ておむつであるが、展開型の使い捨ておむつであってもよい。
【００５９】
上述した実施形態に関し、さらに以下の使い捨ておむつを開示する。
【００６０】
＜１＞
着用者の腹側に配される腹側領域および着用者の背側に配される背側領域と、それらの間に位置する股下領域とを備えると共に、該腹側領域から該背側領域に延びる縦方向と該縦方向に直交する横方向とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、
前記背側ウエストフラップには、横方向に伸長状態で配された弾性体による伸縮領域が形成されており、
前記背側ウエストフラップは、前記伸縮領域において、該背側ウエストフラップを構成する不織布の内、前記弾性体よりも着用者の肌に近い側に、疎水性の繊維からなる肌側不織布を備え、
前記肌側不織布は、該肌側不織布における縦方向の前記背側領域側の外端縁の位置から前記股下領域側に間隔を空けた位置に、横方向に延びる親水性領域を備え、
前記伸縮領域を構成する前記弾性体は、少なくとも１本の糸状弾性部材を有し、該１本の糸状弾性部材が前記背側領域の縦方向の外端縁と前記親水性領域の縦方向の前記背側領域側の外端縁との間に配されており、
前記背側ウエストフラップの前記伸縮領域には、前記１本の糸状弾性部材の内、最も前記親水性領域側にある糸状弾性部材の前記親水性領域側の内端縁と、前記親水性領域における縦方向の前記背側領域側の外端縁との間に弾性体不在領域が形成されている、使い捨ておむつ。
【００６１】
＜２＞
前記肌側不織布の前記親水性領域における縦方向の前記背側領域側の外端縁が、前記吸収体における縦方向の前記背側領域側の外端縁と該背側領域の縦方向の外端縁とで挟まれた領域内に対応する部分に配されている、前記＜１＞に記載の使い捨ておむつ。
＜３＞
前記伸縮領域を構成する前記弾性体は、前記１本の糸状弾性部材以外に、該糸状弾性部材に隣り合う別の糸状弾性部材を有し、該１本の糸状弾性部材、及び該別の糸状弾性部材が、前記肌側不織布における縦方向の前記背側領域側の外端縁の位置と、前記親水性領域における縦方向の前記背側領域側の外端縁とで挟まれた領域内に対応する部分に配されている、前記＜１＞又は＜２＞に記載の使い捨ておむつ。
＜４＞
前記肌側不織布の前記親水性領域における縦方向の前記股下領域側の内端縁が、前記吸収体における縦方向の前記背側領域側の外端縁と該背側領域の縦方向の外端縁とで挟まれた領域内に対応する部分に配されている、前記＜１＞〜＜３＞の何れか１に記載の使い捨ておむつ。
＜５＞
前記伸縮領域を構成する前記弾性体は、複数本の糸状弾性部材で構成され、
前記１本の糸状弾性部材以外の別の１本の糸状弾性部材が、前記肌側不織布の前記親水性領域における縦方向の前記股下領域側の内端縁と、前記吸収体における縦方向の前記背側領域側の外端縁とで挟まれた領域内に対応する部分に配されている、前記＜４＞に記載の使い捨ておむつ。
＜６＞
前記背側ウエストフラップを構成する不織布は、前記使い捨ておむつの非肌対向面を形成する外層シートと、該外層シートの肌対向面に対向配置された内層シートとを有し、さらに、該外層シートにおける前記背側領域の縦方向の外端縁から肌対向面側に折り返された外層の折り返し部分、又は、該内層シートにおける前記背側領域の縦方向の外端縁から肌対向面側に折り返された内層の折り返し部分を有し、
前記親水性領域は、前記肌側不織布である前記外層の折り返し部分、又は、前記内層の折り返し部分に形成されており、
前記親水性領域における縦方向の前記股下領域側の内端縁が、前記外層の折り返し部分又は前記内層の折り返し部分における縦方向の前記股下領域側の内端縁よりも、前記背側領域の縦方向の外端縁側に配されている、前記＜１＞〜＜５＞の何れか１に記載の使い捨ておむつ。
＜７＞
前記親水性領域を備える前記肌側不織布よりも肌対向面側に、疎水性の繊維からなる疎水性不織布が配されている、前記＜１＞〜＜６＞の何れか１に記載の使い捨ておむつ。
＜８＞
前記肌側不織布と前記疎水性不織布とが、該肌側不織布の備える前記親水性領域に配された熱融着部で固定されている、前記＜７＞に記載の使い捨ておむつ。
【００６２】
＜９＞
前記親水性領域は、前記肌側不織布と別個独立した不織布から形成されておらず、疎水性の繊維からなる該肌側不織布の一部に、親水化剤を塗布して形成された領域である、前記＜１＞〜＜８＞の何れか１に記載の使い捨ておむつ。
＜１０＞
前記親水性領域は、背側ウエストフラップの横方向の全長に亘って配されている、前記＜１＞〜＜９＞の何れか１に記載の使い捨ておむつ。
＜１１＞
前記親水性領域は、その縦方向の長さ（Ｌ１）が、１０ｍｍ以上、好ましくは２０ｍｍ以上であり、そして、１００ｍｍ以下、好ましくは９０ｍｍ以下である、前記＜１＞〜＜１０＞の何れか１に記載の使い捨ておむつ。
＜１２＞
前記糸状弾性部材が、前記親水性領域の形成された前記肌側不織布における縦方向の前記背側領域側の外端部に配されている前記＜１＞〜＜１１＞の何れか１に記載の使い捨ておむつ。
＜１３＞
前記弾性体不在領域は、前記背側ウエストフラップの横方向の全長に亘って形成されている、前記＜１＞〜＜１２＞の何れか１に記載の使い捨ておむつ。
＜１４＞
前記弾性体不在領域は、その縦方向の長さ（Ｌ２）が、３ｍｍ以上、好ましくは４ｍｍ以上であり、そして、１５ｍｍ以下、好ましくは１３ｍｍ以下である、前記＜１＞〜＜１３＞の何れか１に記載の使い捨ておむつ。
＜１５＞
前記親水性領域と、該親水性領域に対応する位置に配される前記弾性体との配置関係は、１本の糸状弾性部材に縦方向に隣り合う別の糸状弾性部材が、前記親水性領域における縦方向の背側領域側の外端縁から股下領域側に間隔を空けた位置に配されている、前記＜１＞〜＜１４＞の何れか１に記載の使い捨ておむつ。
＜１６＞
前記親水性領域の縦方向の前記股下領域側の内端縁が、前記吸収体を有する吸収性本体における縦方向の前記背側領域側の外端縁と前記使い捨ておむつの前記背側領域の縦方向の外端縁とで挟まれた領域内に対応する部分に配されている、前記＜１＞〜＜１５＞の何れか１に記載の使い捨ておむつ。
＜１７＞
前記肌側不織布と、疎水性不織布からなる前記外層の折り返し部分とは、該肌側不織布の備える前記親水性領域に配された熱融着部で固定されている、前記＜５＞に記載の使い捨ておむつ。
【００６３】
＜１８＞
疎水性の繊維からなる肌側不織布が前記外層シートの折り返し部分である、前記＜５＞に記載の使い捨ておむつ。
＜１９＞
前記親水性領域は、前記肌側不織布である前記外層の折り返し部分に形成されており、
前記親水性領域における縦方向の前記股下領域側の内端部の内端縁が、前記外層の折り返し部分における縦方向の前記股下領域側の内端部の内端縁よりも、前記背側領域の縦方向の外端部側に配されている、前記＜５＞に記載の使い捨ておむつ。
＜２０＞
前記親水性領域は、前記肌側不織布である前記内層の折り返し部分に形成されており、
前記親水性領域における縦方向の前記股下領域側の内端部の内端縁が、前記内層の折り返し部分における縦方向の前記股下領域側の内端部の内端縁よりも、前記背側領域の縦方向の外端部側に配されている、前記＜５＞に記載の使い捨ておむつ。
＜２１＞
前記背側ウエストフラップ及び腹側ウエストフラップを構成する不織布は、前記使い捨ておむつの非肌対向面を形成する外層シートと、該外層シートの肌対向面に対向配置された内層シートとを有し、
前記背側ウエストフラップ及び前記腹側ウエストフラップは、前記内層シートと前記外層シートとが、散点状に配置された複数の熱融着による接合部にて接合固定されて形成されており
前記伸縮領域はウエスト伸縮部及び胴回り下部伸縮部を有し、
腹側領域及び前記背側領域それぞれの前記ウエスト伸縮部から胴回り下部伸縮部に亘る領域に、前記内層シートと前記外層シートとの前記接合部が、縦方向に沿って一列をなすように間欠的に配されており、その複数の接合部からなる接合部列が、横方向に間隔を開けて複数列配されている、前記＜１＞〜＜２０＞の何れか１に記載の使い捨ておむつ。
＜２２＞
前記接合部で固定された前記内層シートと前記外層シートとの間に、横方向に伸長した状態で配され且つ縦方向に間欠的に配された複数の前記弾性体を有している、前記＜２１＞に記載の使い捨ておむつ。
＜２３＞
前記腹側領域及び前記背側領域それぞれの前記ウエスト伸縮部から前記胴回り下部伸縮部に亘る領域に、複数本の前記弾性体が、それぞれ、複数の前記接合部列それぞれの前記接合部どうし間の隙間を通って、横方向に伸長状態で配されている、前記＜２１＞又は＜２２＞に記載の使い捨ておむつ。
＜２４＞
前記外層シートにおける前記背側領域の縦方向の外端縁から肌対向面側に折り返された外層の折り返し部分を有し、
横方向に隣接する前記接合部列どうしの間の前記外層シートが外方に膨らむように変形し、前記外層の折り返し部分及び前記内層シートが内方に膨らむように変形してギャザー部が形成されている、前記＜２１＞〜＜２３＞の何れか１に記載の使い捨ておむつ。
＜２５＞
前記使い捨ておむつは、吸収性本体と、該吸収性本体の非肌対向面側に配されて該吸収性本体を固定する外装体とを備え、
前記外装体は前記腹側ウエストフラップ及び前記背側ウエストフラップを有し、
前記外装体は、前記使い捨ておむつの非肌対向面を形成する外層シートと、該外層シートの肌対向面に対向配置された内層シートとを有し、
前記使い捨ておむつは、前記外装体の前記腹側領域の両側縁部及び該外装体の前記背側領域の両側縁部に、前記内層シートと前記外層シートとが弾性体固定用接着剤を介して接合された一対の外側固定領域を有している、前記＜１＞〜＜２４＞の何れか１に記載の使い捨ておむつ。
【００６４】
＜２６＞
前記弾性体は、一対の前記外側固定領域それぞれにおいて、前記内層シートと前記外層シートとの間に固定されている一方、一対の該外側固定領域間においては、該内層シート及び該外層シートの何れにも固定されていない、前記＜２５＞に記載の使い捨ておむつ。
＜２７＞
前記使い捨ておむつは、前記吸収性本体の縦方向に沿う両側部の近傍に、前記内層シートと前記外層シートとが弾性体固定用接着剤を介して接合された一対の本体側固定領域を有している、前記＜２５＞又は＜２６＞に記載の使い捨ておむつ。
＜２８＞
前記弾性体は、前記外側固定領域と前記本体側固定領域とのそれぞれにおいて、前記内層シートと前記外層シートとの間に固定されている一方、該外側固定領域と該本体側固定領域との間においては、該内層シート及び該外層シートの何れにも固定されていない、前記＜２５＞〜＜２７＞の何れか１に記載の使い捨ておむつ。
＜２９＞
前記親水性領域が、前記背側ウエストフラップ及び前記腹側ウエストフラップに形成されている、前記＜１＞〜＜２８＞の何れか１に記載の使い捨ておむつ。
＜３０＞
前記背側ウエストフラップを構成する不織布は、前記使い捨ておむつの非肌対向面を形成する外層シートと、該外層シートの肌対向面に対向配置された内層シートとを有し、
前記親水性領域は、前記肌側不織布である前記内層シートに形成されており、
前記親水性領域における縦方向の前記背側領域側の外端部の外端縁が、前記内層シートの前記背側領域側の外端部の外端縁よりも前記股下領域側に配されている前記＜１＞〜＜２９＞の何れか１に記載の使い捨ておむつ。
＜３１＞
前記背側ウエストフラップを構成する不織布は、前記使い捨ておむつの非肌対向面を形成する外層シートと、該外層シートの肌対向面に対向配置された内層シートとを有し、さらに、該外層シートにおける前記背側領域の縦方向の外端縁から肌対向面側に折り返された外層の折り返し部分、又は、該内層シートにおける前記背側領域の縦方向の外端縁から肌対向面側に折り返された内層の折り返し部分を有し、
前記親水性領域は、前記肌側不織布である前記外層の折り返し部分に形成されており、
前記親水性領域における縦方向の前記背側領域側の外端部の外端縁が、前記背側領域の縦方向の外端部の外端縁よりも股下領域側に配されている、前記＜１＞〜＜２９＞の何れか１に記載の使い捨ておむつ。
【符号の説明】
【００６５】
１  パンツ型使い捨ておむつ
１Ｂ  背側領域における縦方向の外端
２  吸収性本体
２１  表面シート
２２  裏面シート
２３  吸収体
２４  防漏カフ
２５  防漏カフ形成用弾性体
３  外装体
４Ｔ  親水性領域
親水性領域における縦方向の背側領域側の外端縁
５  内層シート
５Ｅ  内層の折り返し部分
６  外層シート
６Ｅ  外層の折り返し部分
７１  弾性体
７１１  糸状弾性部材
７２  レッグ弾性体
８  接合部
８Ｌ  接合部列
９  疎水性のシート
Ａ  腹側領域、Ｂ  背側領域、Ｃ  股下領域
ＳＴ  伸縮領域
ＦＡ  腹側ウエストフラップ
ＦＢ  背側ウエストフラップ
ＮＴ  弾性体不在領域
【図１】
2018102428.tif 000003
【図２】
2018102428.tif 000004
【図３】
2018102428.tif 000005
【図４】
2018102428.tif 000006
【図５】
2018102428.tif 000007
【図６】
2018102428.tif 000008
【図７】
2018102428.tif 000009